(57)【要約】【課題】複数段の媒体差込通路に挿入された複数の信号伝送媒体のグランド伝送経路に接触するグランドコンタクト部材の構造を簡易化することを可能とする。【解決手段】信号伝送媒体ＰＢを挟んで高さ方向の上下の位置に互いに対向配置した信号コンタクト部材１２,１３の接点部１２ａ，１３ａとグランドコンタクト部材１５ｂ，１５ｂの接点部１５ｅ，１５ｆとの間における高さ方向の上下の位置関係を、高さ方向に隣り合う媒体差込通路１１ｃ，１１ｄ同士の間で互いに反転した状態に設定し、高さ方向に隣り合う媒体差込通路１１ｃ，１１ｄの各々に配置したグランドコンタクト部材１５ｂ，１５ｂの接点部１５ｅ，１５ｆ同士を高さ方向の上下に対面状態で配置したことにより、両グランドコンタクト部１５ｂ，１５ｂ材同士を至近距離で配置可能としたものである。【選択図】図１２
2019149230.tif 000002
【特許請求の範囲】
【請求項１】
平型状をなす信号伝送媒体が、ハウジングに設けられた中空状の媒体差込通路の内部に挿入されるものであって、
前記媒体差込通路が、前記信号伝送媒体の板幅方向と直交する前記ハウジングの高さ方向の上下の位置に複数段にわたって設けられ、
前記ハウジングに取り付けられた信号コンタクト部材及びグランドコンタクト部材の各接点部が、前記各段の媒体差込通路の内部に挿入された前記信号伝送媒体にそれぞれ接触する状態に配置された電気コネクタにおいて、
前記信号コンタクト部材の接点部と、前記グランドコンタクト部材の接点部とが、前記信号伝送媒体を挟んで前記高さ方向の上下の位置に互いに対向した状態に配置されたものであって、
前記信号コンタクト部材の接点部と前記グランドコンタクト部材の接点部との間における前記高さ方向の上下の位置関係が、前記高さ方向に隣り合う前記媒体差込通路同士の間で互いに反転した状態に設定され、
当該高さ方向に隣り合う前記媒体差込通路の各々に配置された前記グランドコンタクト部材の接点部同士が、前記媒体差込通路の各々に配置された前記信号コンタクト部材同士の間において、前記高さ方向の上下の位置に互いに対面する状態で配置されていることを特徴とする電気コネクタ。
【請求項２】
前記高さ方向の一方向において、信号コンタクト部材の接点部、グランドコンタクト部材の接点部、グランドコンタクト部材の接点部、信号コンタクト部材の接点部が、この順に配置された構成になされていることを特徴とする請求項１記載の電気コネクタ。
【請求項３】
前記高さ方向に対面する接点部を有する両グランドコンタクト部材同士が、一体的に連結されていることを特徴とする請求項１記載の電気コネクタ。
【請求項４】
前記信号コンタクト部材及びグランドコンタクト部材が、前記信号伝送媒体の板幅方向に複数体配列されたものであって、
前記グランドコンタクト部材同士が、前記信号伝送媒体の板幅方向に一体的に連結されていることを特徴とする請求項１記載の電気コネクタ。
【請求項５】
前記ハウジングに、シールド用の導電性シェル部材が取り付けられたものであって、
前記導電性シェル部材の一部を介して、前記グランドコンタクト部材同士が、前記信号伝送媒体の板幅方向に一体的に連結されていることを特徴とする請求項４記載の電気コネクタ。
【請求項６】
前記媒体差込通路の各々に配置された前記信号コンタクト部材と、前記グランドコンタクト部材とが、前記信号伝送媒体の板幅方向における同一の位置で、前記高さ方向の上下に対面する状態に配置されていることを特徴とする請求項４記載の電気コネクタ。
【請求項７】
前記媒体差込通路の各々に配置された前記信号コンタクト部材と、前記グランドコンタクト部材とが、前記信号伝送媒体の板幅方向における異なる位置で、前記高さ方向の上下に対向する状態に配置されていることを特徴とする請求項４記載の電気コネクタ。
【発明の詳細な説明】
【技術分野】
【０００１】
本発明は、電気コネクタに関する。
【背景技術】
【０００２】
従来から、種々の電気機器等において、フレキシブルフラットケーブル（ＦＦＣ）やフレキシブルプリント基板（ＦＰＣ）などの平型状に形成された信号伝送媒体を、配線基板に電気的に接続する構成を備えた電気コネクタが広く採用されている。この種の電気コネクタは、配線基板の主面上に実装された状態で使用され、ハウジングに設けられた挿入開口部から平型状をなす信号伝送媒体が内部に挿入されることによって電気的な接続が行われるようになっている。
【０００３】
一方、近年の電子機器においては、伝送信号の周波数及び芯数が急速に増大しており、それに伴って、伝送信号を多極状に並列する傾向が顕著になって来ている。そのような背景から、下記の特許文献のように、電気コネクタのハウジングに複数段の媒体差込通路を上下に重ね合わせるように設け、それら複数段の媒体差込通路に対して、複数の信号伝送媒体を挿入する構造を備えた多段型式の電気コネクタが提案されている。
【０００４】
しかしながら、従来の多段型式の電気コネクタは、信号の伝送経路を備えたものが提案されているのみであり、グランド伝送経路を有する信号伝送媒体に対応した構造のものは未だ提案されていない。一般に、信号伝送媒体（ＦＦＣ又はＦＰＣ等）に設けられたグランド伝送経路に接触するグランドコンタクト部材を、媒体差込通路の各段ごとに設けることが考えられるが、単に、媒体差込通路ごとにグランドコンタクト部材を配置しただけの構成では、コンタクト部材の構造が複雑化してしまい、電気コネクタの大型化を招来することとなる。
【先行技術文献】
【特許文献】
【０００５】
【特許文献１】実用新案登録第２６０３１６０号公報
【特許文献２】特開２０００−１１３９３３号公報
【発明の開示】
【発明が解決しようとする課題】
【０００６】
そこで本発明は、複数段の媒体差込通路に挿入された複数の信号伝送媒体のグランド伝送経路に接触するグランドコンタクト部材の構造を簡易化することができるようにした電気コネクタを提供することを目的とする。
【課題を解決するための手段】
【０００７】
上記目的を達成するため請求項１にかかる発明では、平型状をなす信号伝送媒体が、ハウジングに設けられた中空状の媒体差込通路の内部に挿入されるものであって、前記媒体差込通路が、前記信号伝送媒体の板幅方向と直交する前記ハウジングの高さ方向の上下の位置に複数段にわたって設けられ、前記ハウジングに取り付けられた信号コンタクト部材及びグランドコンタクト部材の各接点部が、前記各段の媒体差込通路の内部に挿入された前記信号伝送媒体にそれぞれ接触する状態に配置された電気コネクタにおいて、前記信号コンタクト部材の接点部と、前記グランドコンタクト部材の接点部とが、前記信号伝送媒体を挟んで前記高さ方向の上下の位置に互いに対向した状態に配置されたものであって、前記信号コンタクト部材の接点部と前記グランドコンタクト部材の接点部との間における前記高さ方向の上下の位置関係が、前記高さ方向に隣り合う前記媒体差込通路同士の間で互いに反転した状態に設定され、当該高さ方向に隣り合う前記媒体差込通路の各々に配置された前記グランドコンタクト部材の接点部同士が、前記媒体差込通路の各々に配置された前記信号コンタクト部材同士の間において、前記高さ方向の上下の位置に互いに対面する状態で配置された構成が採用されている。
【０００８】
このような構成を備えた請求項１記載の電気コネクタによれば、ハウジングの高さ方向の上下に対面する接点部を有する一対のグランドコンタクト部材同士が、互いに至近距離をなす状態で配置されることから、構造の簡易化が図られる。
【０００９】
このとき、請求項２にかかる発明のように、前記高さ方向の一方向において、信号コンタクト部材の接点部、グランドコンタクト部材の接点部、グランドコンタクト部材の接点部、信号コンタクト部材の接点部が、この順に配置された構成になされていることが可能である。
【００１０】
また、請求項３にかかる発明のように、前記高さ方向に対面する接点部を有する両グランドコンタクト部材同士が、一体的に連結されていることが望ましい。
【００１１】
このような構成を備えた請求項３にかかる発明によれば、グランドコンタクト部材の部品点数が低減され、さらに構造の簡易化が図られる。
【００１２】
さらに、請求項４にかかる発明のように、前記信号コンタクト部材及びグランドコンタクト部材が、前記信号伝送媒体の板幅方向に複数体配列されたものであって、前記グランドコンタクト部材同士が、前記信号伝送媒体の板幅方向に一体的に連結されていることが可能である。
【００１３】
さらにまた、請求項５にかかる発明のように、前記ハウジングに、シールド用の導電性シェル部材が取り付けられたものであって、前記導電性シェル部材の一部を介して、前記グランドコンタクト部材同士が、前記信号伝送媒体の板幅方向に一体的に連結されていることが望ましい。
【００１４】
このような構成を備えた請求項５記載の電気コネクタによれば、高さ方向に対面する接点部を有する両グランドコンタクト部材と、導電性シェル部材とを一体的に形成するなどにより、全体の部品点数が更に低減され、構造の簡易化が一層図られる。
【００１５】
また、請求項６にかかる発明のように、前記媒体差込通路の各々に配置された前記信号コンタクト部材と、前記グランドコンタクト部材とが、前記信号伝送媒体の板幅方向における同一の位置で、前記高さ方向の上下に対面する状態に配置されていることが望ましい。
【００１６】
このような構成を備えた請求項６にかかる発明によれば、信号コンタクト部材を、グランドコンタクト部材とは関係なく、例えば同一のピッチで規定数を設けることが可能となり、信号経路の高密度化にも貢献する。
【００１７】
加えて、請求項７にかかる発明のように、前記媒体差込通路の各々に配置された前記信号コンタクト部材と、前記グランドコンタクト部材とが、前記信号伝送媒体の板幅方向における異なる位置で、前記高さ方向の上下に対向する状態に配置されていることが可能である。
【発明の効果】
【００１８】
以上述べたように本発明にかかる電気コネクタは、信号伝送媒体を挟んで高さ方向の上下の位置に互いに対向した状態に配置した信号コンタクト部材の接点部とグランドコンタクト部材の接点部との間における高さ方向の上下の位置関係を、高さ方向に隣り合う媒体差込通路同士の間で互いに反転した状態に設定し、高さ方向に隣り合う媒体差込通路の各々に配置したグランドコンタクト部材の接点部同士を、高さ方向の上下に対面する状態で配置したことにより、高さ方向に対面する接点部を有する一対のグランドコンタクト部材同士を至近距離で配置可能としたものであるから、複数段の媒体差込通路に挿入された複数の信号伝送媒体のグランド伝送経路に接触するグランドコンタクト部材の構造を簡易化することができる。
【図面の簡単な説明】
【００１９】
【図１】本発明の一実施形態にかかる電気コネクタに対して平型状の信号伝送媒体を挿入しようとしている状態を正面側の斜め上方から表した外観斜視説明図である。
【図２】図１の状態から平型状の信号伝送媒体を電気コネクタに挿入した後の状態を表した外観斜視説明図である。
【図３】図２に示された状態の電気コネクタを表した平面説明図である。
【図４】図２及び図３に示された電気コネクタの正面説明図である。
【図５】図２及び図３に示された電気コネクタの背面説明図である。
【図６】図４中のＶＩ−ＶＩ線に沿った断面を拡大して表した横断面説明図である。
【図７】図４中のＶＩＩ−ＶＩＩ線に沿った断面を拡大して表した横断面説明図である。
【図８】図４中のＶＩＩＩ−ＶＩＩＩ線に沿った断面を拡大して表した横断面説明図である。
【図９】図５中のＩＸ−ＩＸ線に沿った断面を拡大して表した水平断面説明図である。
【図１０】図１〜図９に示された電気コネクタに用いられているシェル部材を正面側の斜め上方から表した外観斜視説明図である。
【図１１】図１〜図９に示された電気コネクタに用いられているシェル部材を上下に離した状態で正面側の斜め上方から表した外観斜視説明図である。
【図１２】図１〜図９に示された電気コネクタに用いられているグランドコンタクト部材の一部を拡大して表した外観斜視説明図である。
【図１３】図１〜図９に示された電気コネクタに用いられているシェル部材を背面側の斜め下方から表した外観斜視説明図である。
【図１４】平型状の信号伝送媒体を挿入した状態の電気コネクタの背面部分を、長手方向の一端部分を破断した状態で表した外観斜視説明図である。
【図１５】図１４中のＸＶで表した部分を拡大して表した外観斜視説明図である。
【図１６】平型状の信号伝送媒体を挿入した状態からロック解除部材を操作した後の電気コネクタの背面説明図である。
【図１７】ロック解除部材を操作した後における電気コネクタの図１５相当の外観斜視説明図である。
【発明を実施するための形態】
【００２０】
以下、各種電子機器の配線基板上に実装されるリセプタクルコネクタに本発明を適用した実施形態について、図面に基づき詳細に説明する。
【００２１】
［ハウジングについて］
図１〜図５に示されている本発明の一実施形態にかかるリセプタクルコネクタ１は、配線基板（図示省略）の主面上に配置される細長状の絶縁性部材からなるハウジング１１をコネクタ本体部分として備えている。以下において、配線基板（図示省略）の主面は、水平に延在しているものとし、その配線基板の主面に対して直交する方向を、上述したハウジング１１の「高さ方向」又は「上下方向」とする。そして、その配線基板の主面から「高さ方向」に離れる方向を「上方向」、配線基板の主面に近付く方向を「下方向」とする。また、ハウジング１１の細長状の延在方向を「コネクタ長手方向」とし、その「コネクタ長手方向」及び「高さ方向」の双方向に直交する方向を「コネクタ幅方向」と呼ぶこととする。
【００２２】
上述したハウジング１１の「コネクタ幅方向」における一端面には、「高さ方向」の上下の位置に複数段（２段）の挿入開口部１１ａ，１１ｂが設けられている。これらの各挿入開口部１１ａ，１１ｂは、「コネクタ長手方向」に沿って細長スリット形状をなすように形成されており、当該各挿入開口部１１ａ，１１ｂを通して、後述するフレキシブルフラットケーブル（ＦＦＣ）やフレキシブルプリント基板（ＦＰＣ）などの平型状をなす信号伝送媒体ＰＢが、ハウジング１１の内部に略水平状態で挿入されるようになっている。これらの挿入開口部１１ａ，１１ｂが設けられているハウジング１１の端面を、以下において「前端面」と呼び、当該ハウジング１１における「コネクタ幅方向」の反対側の端面を「後端面」と呼ぶこととする。
【００２３】
上述した信号伝送媒体（ＦＦＣやＦＰＣ等）ＰＢの端末部分は、各挿入開口部１１ａ，１１ｂの「前方」から「後方」に向かってそれぞれ挿入されるが、それらの各挿入開口部１１ａ，１１ｂを通して挿入された各信号伝送媒体ＰＢの端末部分は、特に図６及び図７に示されているように、ハウジング１１の内部に設けられた各媒体差込通路１１ｃ，１１ｄに収容されるようになっている。
【００２４】
なお、上述したように複数段（２段）の挿入開口部１１ａ，１１ｂは、ハウジング１１の「高さ方向」の上下に重なり合う状態で配置されているが、それらの挿入開口部１１ａ，１１ｂから「後方」に向かって中空状をなして延びる媒体差込通路１１ｃ，１１ｄも、挿入開口部１１ａ，１１ｂと同様に、ハウジング１１の「高さ方向」の上下に重なり合うようにして複数段（２段）にわたって配置されている。
【００２５】
［信号コンタクト部材について］
前述したハウジング１１には、当該ハウジング１１の「長手方向」である前記信号伝送媒体（ＦＦＣやＦＰＣ等）ＰＢの板幅方向に沿って、複数体の信号コンタクト部材（導電端子）１２，１３が、所定のピッチ間隔をなして配列された状態でそれぞれ取り付けられている。これらの信号コンタクト部材１２，１３は、特に図６に示されているように、必要な形状に折り曲げ形成された金属部材から構成されており、そのうちの一方の信号コンタクト部材１２は、当該信号コンタクト部材１２に設けられた信号上接点部１２ａが、上方の媒体差込通路１１ｃの内部に配置されるように設けられているとともに、他方の信号コンタクト部材１３は、下方の媒体差込通路１１ｄの内部に信号下接点部１３ａが配置される状態に設けられている。
【００２６】
これらの両信号コンタクト部材１２，１３は、互いに「コネクタ幅方向」に向かい合う状態で配置されており、一方の信号コンタクト部材１２が、上述したハウジング１１の「後端面」に当接した状態で「上下方向」に延在する固定基部１２ｂを有しているとともに、他方の信号コンタクト部材１３は、ハウジング１１の「前端面」に当接した状態で上下方向に延在する固定基部１３ｂを有している。そして、それらの固定基部１２ｂ及び固定基部１３ｂの上端部からは、上述した媒体差込通路１１ｃ及び媒体差込通路１１ｄの内方に向かって、可動ビーム１２ｃ及び可動ビーム１３ｃが、それぞれ「前方」及び「後方」に向かって延出しており、それらの可動ビーム１２ｃ及び可動ビーム１３ｃにおける延出方向の先端部分に、上述した信号上接点部１２ａ及び信号下接点部１３ａが、それぞれ下方及び上方に向かって山形状に突出する状態で設けられている。
【００２７】
これらの信号コンタクト部材１２及び信号コンタクト部材１３に設けられた信号上接点部１２ａ及び信号下接点部１３ａは、上述した上下２段の媒体差込通路１１ｃ及び媒体差込通路１１ｄに挿入された各々の信号伝送媒体（ＦＦＣ又はＦＰＣ等）ＰＢ，ＰＢに対して、それぞれ上方及び下方から接触する配置関係になされており、そのような接触関係によって、両信号コンタクト部材１２，１３が、各信号伝送媒体ＰＢに対して電気的に接続されるようになっている。
【００２８】
すなわち、各信号伝送媒体（ＦＦＣ又はＦＰＣ等）ＰＢの一方の表面には、当該信号伝送媒体ＰＢの板幅方向（コネクタ長手方向）に沿って複数の信号伝送経路が、所定のピッチ間隔をなして配列されているとともに、当該信号伝送媒体Ｆの裏面には、導電性部材からなるシールド板ＰＢ１が貼着されている。そして、上下２段の媒体差込通路１１ｃ及び媒体差込通路１１ｄの内部に挿入された両信号伝送媒体ＰＢ，ＰＢは、裏面のシールド板ＰＢ１，ＰＢ１同士が互いに「高さ方向」の上下に対面する表裏を反転させた状態で挿入されており、上方の信号伝送媒体ＰＢの表面（上面）に形成されている信号伝送経路に対して、信号コンタクト部材１２の信号上接点部１２ａが上方から接触するとともに、下方の信号伝送媒体ＰＢの表面（下面）に形成されている信号伝送経路に対して、信号コンタクト部材１３の信号下接点部１３ａが下方から接触するようになっている。
【００２９】
また、上述した信号伝送媒体（ＦＦＣ又はＦＰＣ等）ＰＢの裏面に配置されたシールド板ＰＢ１は、グランド伝送経路を形成するものであるが、信号伝送媒体ＰＢのほぼ全幅にわたって配置された導電性の板状部材から形成されており、当該シールド板ＰＢ１に対して、後述するようにグランドコンタクト部材１５ｂが、「コネクタ幅方向」の適宜の位置に接触されるようになっている。
【００３０】
また、信号コンタクト部材１２及び信号コンタクト部材１３の各々に設けられた固定基部１２ｂ及び固定基部１３ｂは、配線基板（図示省略）に接触する下端部分において略直角に折れ曲がって「コネクタ幅方向」の後方及び前方に向かって略水平に延出しており、それらの信号コンタクト部材１２及び信号コンタクト部材１３における後方延出端及び前方延出端が、それぞれ接続端子部１２ｄ及び接続端子部１３ｄになされている。これらの接続端子部１２ｄ及び接続端子部１３ｄは、上述した配線基板に形成された信号用導電路に半田接合される。
【００３１】
［シェル部材について］
一方、特に図１０〜図１３に示されているように、上述したハウジング１１には、当該ハウジング１１の外表面を覆うシールド用の導電性シェル部材を構成する上シェル１４及び下シェル１５が、当該ハウジング１１の上方及び下方からそれぞれ装着されている。これらの上シェル１４及び下シェル１５は、薄い板状の金属部材を折り曲げた構成になされており、信号伝送経路を上下方向に挟んだ状態、すなわち上下２段の媒体差込通路１１，１１ｄに挿入された両信号伝送媒体（ＦＦＣ又はＦＰＣ等）ＰＢ，ＰＢ、及び両信号コンタクト部材１２，１３が、上シェル１４及び下シェル１５の間に配置された構成によって、当該信号伝送経路のシールドが行われるようになっている。
【００３２】
そのうちの上シェル１４には、特に図１１に示されているように、当該上シェル１４の前端縁部分に複数のハウジング固定片１４ａ，１４ａ，・・・が、爪状に突出するように設けられており、それら複数のハウジング固定片１４ａの各々が、コネクタ後端より前端に向けハウジング１１の一部に圧入状態で差し込まれることによって、上シェル１４全体の固定が行われている。また、下シェル１５は、詳細には図示されない固定片を用い、コネクタ前端より後端へ向けハウジング１１の一部に圧入状態で差し込まれることによって、下シェル１５全体の固定が行われている。
【００３３】
このような上シェル１４及び下シェル１５の外周を形成している端縁部には、複数のグランド接続部１４ｂ及び１５ｇが、略水平に延出するようにして一体的に形成されており、それらの各グランド接続部１４ｂ及び１５ｇが、配線基板（図示省略）に形成されたグランド用導電路に対して、一括的に半田接合されるようになっている。
【００３４】
［グランドコンタクト部材について］
また、上述した下シェル１５の後端縁部分には、「コネクタ長手方向」に延在する細長の棒状をなすグランド連結バー１５ａが、下シェル１５の底板における後端縁部から立ち上がる状態で一体的に設けられている。このグランド連結バー１５ａは、前記ハウジング１１の「高さ方向」において略中間の位置に略水平に延在しており、当該グランド連結バー１５ａの延在方向（コネクタ長手方向）の途中位置には、複数体（６体）のグランドコンタクト部材１５ｂ，１５ｂ，・・・，１５ｂが、所定のピッチ間隔をなして配列されている。これら複数体のグランドコンタクト部材１５ｂ，１５ｂ，・・・，１５ｂは、前記グランド連結バー１５ａを介して、信号伝送媒体（ＦＦＣ又はＦＰＣ等）ＰＢの板幅方向（コネクタ長手方向）に一体的に連結された状態になされている。
【００３５】
このような各グランドコンタクト部材１５ｂは、ハウジング１１の「高さ方向」において、上下２段の媒体差込通路１１ｃ及び媒体差込通路１１ｄの間部分に相当する位置に配置されており、特に図７及び図１２に示されているように、上述したグランド連結バー１５ａの上縁部分から上段の媒体差込通路１１ｃの内方に向かって片持ち状に延出する上弾性ビーム１５ｃと、前記グランド連結バー１５ａの下縁部分から下段の媒体差込通路１１ｄの内方に向かって片持ち状に延出する下弾性ビーム１５ｄとを一体的に有している。これらの上弾性ビーム１５ｃ及び下弾性ビーム１５ｄの双方は、共に、グランド連結バー１５ａから「コネクタ幅方向」の後方に向かって略水平に延出する部分を有しており、当該上弾性ビーム１５ｃ及び下弾性ビーム１５ｄにおける略水平の延出部分が、前述したグランド連結バー１５ａを介して側面略コ字状をなして一体的に形成された構成になされている。
【００３６】
このとき、上弾性ビーム１５ｃは、上述した水平延在部分から斜め上方に向かって延出しているが、下弾性ビーム１５ｄは、上述した水平延在部分から斜め下方に向かって延出している。これらグランドコンタクト部材１５ｂの上弾性ビーム１５ｃ及び下弾性ビーム１５ｄにおける上下斜め方向への延出部分の先端部は、それぞれ上方及び下方に向かって山形状に突出する形状になされている。そして、その山形状の頂点部分に、グランド上接点部１５ｅ及びグランド下接点部１５ｆがそれぞれ設けられている。
【００３７】
このように「高さ方向」に隣り合う上下の媒体差込通路１１ｃ及び１１ｄの各々に配置されたグランドコンタクト部材１５ｂ，１５ｂのグランド上接点部１５ｅ及びグランド下接点部１５ｆは、互いに「高さ方向」の上下の位置に対面する状態で配置されている。また、これらのグランド上接点部１５ｅ及びグランド下接点部１５ｆは、媒体差込通路１１ｃ及び１１ｄの各々に配置された信号コンタクト部材１２及び１３の間に配置されている。
【００３８】
そして、上方のグランドコンタクト部材１５ｂの上弾性ビーム１５ｃに設けられたグランド上接点部１５ｅは、上段の媒体差込通路１１ｃに挿入された信号伝送媒体（ＦＦＣ又はＦＰＣ等）ＰＢのシールド板ＰＢ１に対して下方から接触するとともに、下方のグランドコンタクト部材１５ｂの下弾性ビーム１５ｄに設けられたグランド上接点部１５ｆは、下段の媒体差込通路１１ｄに挿入された信号伝送媒体ＰＢのシールド板ＰＢ１に対して上方から接触する構成になされており、これらが接触することによりグランド経路の一部が形成されるようになっている。
【００３９】
このようにグランドコンタクト部材１５ｂ，１５ｂの上弾性ビーム１５ｃ及び下弾性ビーム１５ｄにそれぞれ設けられたグランド上接点部１５ｅ及びグランド下接点部１５ｆと、信号コンタクト部材１２及び１３にそれぞれ設けられた信号上接点部１２ａ及び信号下接点部１３ａとは、互いに「高さ方向」に対向する配置関係になされている。より具体的には、まず、信号コンタクト部材１２の信号上接点部１２ａと、上方のグランドコンタクト部材１５ｂのグランド上接点部１５ｅとが、上段の媒体差込通路１１ｃ内に挿入された信号伝送媒体（ＦＦＣ又はＦＰＣ等）ＰＢを挟んで「高さ方向」の上下の位置に互いに対向した状態に配置されているとともに、下方のグランドコンタクト部材１５ｂのグランド下接点部１５ｆと、下方の信号コンタクト部材１３の信号下接点部１３ａとは、下段の媒体差込通路１１ｄ内に挿入された信号伝送媒体ＰＢを挟んで「高さ方向」の上下の位置に互いに対向した状態に配置されている。
【００４０】
このとき、上述した上下複数のグランドコンタクト部材１５ｂ，１５ｂは、上下の媒体差込通路１１ｃ，１１ｄに対応して配置された信号コンタクト部材１２及び１３の各々に対して、信号伝送媒体（ＦＦＣ又はＦＰＣ等）ＰＢの板幅方向（コネクタ長手方向）において同一の位置に配置されており、これによって信号コンタクト部材１２及び１３の各々に対して、上下のグランドコンタクト部材１５ｂ，１５ｂが、「高さ方向」の上下において直接的に対面する状態に配置されている。
【００４１】
ここで、上段の信号伝送媒体（ＦＦＣ又はＦＰＣ等）ＰＢに対して上方から接触する信号コンタクト部材１２の信号上接点部１２ａと、同じく上段の信号伝送媒体ＰＢに対して下方から接触するグランドコンタクト部材１５ｂのグランド上接点部１５ｅとの間における「高さ方向」の配置関係は、下段の信号伝送媒体ＰＢに対して下方から接触する信号コンタクト部材１３の信号下接点部１３ａと、同じく下段の信号伝送媒体ＰＢに対して上方から接触するグランドコンタクト部材１５ｂのグランド下接点部１５ｆとの間における「高さ方向」の配置関係に対して、互いに逆の配置関係となっている。
【００４２】
すなわち、信号コンタクト部材１２，１３に設けられた信号上接点部１２ａ及び信号下接点部１３ａと、グランドコンタクト部材１５ｂ，１５ｂに設けられたグランド上接点部１５ｅ及びグランド下接点部１５ｆとの間における「高さ方向」の上下の位置関係は、「高さ方向」に隣り合う上下の媒体差込通路１１ｃ，１１ｄ同士の間において、互いに反転した状態に設定されており、「高さ方向」の上方から下方に向かって、信号コンタクト部材１２の信号上接点部１２ａ、グランドコンタクト部材１５ｂのグランド上接点部１５ｅ、グランドコンタクト部材１５ｂのグランド下接点部１５ｆ、信号コンタクト部材１３の信号下接点部１３ａが、この順に配置された構成になされている。
【００４３】
このような構成を備えた本実施形態によれば、「高さ方向」に対面するグランド上接点部１５ｅ及びグランド下接点部１５ｆを有する一対のグランドコンタクト部材１５ｂ，１５ｂ同士が、互いに至近距離をなした状態で配置されることから、単に、媒体差込通路１１ｃ，11ｄの各段ごとにグランドコンタクト部材を配置した場合に比して、グランドコンタクト部材１５ｂの構造が簡易化される。
【００４４】
より具体的には、両グランドコンタクト部材１５ｂ，１５ｂ同士が、上下に一体的に連結された構成になされているとともに、信号伝送媒体（ＦＦＣ又はＦＰＣ等）ＰＢの板幅方向においても、複数のグランドコンタクト部材１５ｂ，・・・，１５ｂ同士が一体的に連結されており、しかも下シェル（シェル部材）１５に対して、複数のグランドコンタクト部材１５ｂ，・・・，１５ｂが一体的に形成されている。従って、本実施形態は、グランドコンタクト部材１５ｂを構成する部品の点数が大幅に低減される構成となっており、構造の簡易化が図られるようになっている。
【００４５】
また、本実施形態では、媒体差込通路１１ｃ，１１ｄの各々に配置されたグランドコンタクト部材１５ｂが、信号伝送媒体（ＦＦＣ又はＦＰＣ等）ＰＢの板幅方向（コネクタ長手方向）において、信号コンタクト部材１２及び１３の各々と同一の位置に配置されていることから、信号コンタクト部材１２及び１３を、グランドコンタクト部材１５ｂとは関係なく、例えば同一のピッチで規定数を設けることが可能となり、信号経路の高密度化にも貢献する構成となっている。
【００４６】
［ロック部材について］
一方、上述した上シェル１４及び下シェル１５における「コネクタ長手方向」の両端部分には、当該上シェル１４及び下シェル１５から下方及び上方に向かって一体的に延出するロック部材としての上ロック部材１６及び下ロック部材１７が各々一対ずつ設けられている。それらの各上ロック部材１６及び下ロック部材１７は、上下方向に弾性的に揺動する上可動板１６ａ及び下可動板１７ａを有している。
【００４７】
上述した上可動板１６ａは、上シェル１４の主体部分を構成している天井板の後端縁から下方に向かって側面略Ｕ字状をなすように折り曲げられており、その折り曲げ部分から前方に向かって略水平に片持ち状に延出している。そして、その上可動板１６ａにおける延出方向の先端部分には、前述した上段の媒体差込通路１１ｃに挿入された上方の信号伝送媒体ＰＢに係合する上係止爪１６ｂが設けられている。
【００４８】
また、下可動板１７ａは、下シェル１５の主体部分を構成している底板の後端縁から上方に向かって側面略Ｕ字状をなすように折り曲げられており、その折り曲げ部分から前方に向かって略水平に片持ち状に延出している。そして、その下可動板１７ａにおける延出方向の先端部分には、前述した下段の媒体差込通路１１ｄに挿入された下方の信号伝送媒体ＰＢに係合する下係止爪１７ｂが設けられている。
【００４９】
そして、ハウジング１１に設けられた媒体差込通路１１ｃ，１１ｄに対して、信号伝送媒体（ＦＦＣ又はＦＰＣ等）ＰＢの端末部分が前方から挿入されてくると、まず信号伝送媒体ＰＢの挿入側の先端縁が、前述した上係止爪１６ｂ及び下係止爪１７ｂの傾斜案内辺に当接し、挿入前の初期状態において略水平に延在していた上可動板１６ａ及び下可動板１７ａが、折返し部分を揺動支点として上方及び下方にそれぞれ押し込まれるように弾性変位した後に、信号伝送媒体ＰＢの端末部分がさらに後方に押し込まれていくと、特に図８に示されているように、上述した上係止爪１６ｂ及び下係止爪１７ｂのフック形状部分が、上可動板１６ａ及び下可動板１７ａの弾性復元力によって信号伝送媒体ＰＢの位置決め部（切り欠き状の凹部）ＰＢ２の内部に向かって突出するように揺動し、上係止爪１６ｂ及び下係止爪１７ｂが信号伝送媒体ＰＢの位置決め部ＰＢ２に対して係合状態となり、信号伝送媒体ＰＢの挿入状態が保持される。
【００５０】
［解除リンク機構について］
一方、上述したような信号伝送媒体（ＦＦＣ又はＦＰＣ等）ＰＢに対する上係止爪１６ｂ及び下係止爪１７ｂの係合状態から、ロック解除部材１８を操作することによってロック解除操作が行われると、当該ロック解除部材１８に設けられた解除リンク機構を介して、上述した上可動板１６ａ及び下可動板１７ａが、自身の弾性力に抗してそれぞれ上方及び下方に向かって押し付けられるように揺動し、それによって、上係止爪１６ｂ及び下係止爪１７ｂのフック状部分が、信号伝送媒体ＰＢの位置決め部ＰＢ２から上方及び下方に向かって離脱されるようになっている。
【００５１】
すなわち、前述したようにロック部材を構成している上ロック部材１６及び下ロック部材１７は、複数段（２段）の各媒体差込通路１１ｃ及び１１ｄ毎に、複数（一対）のものがそれぞれ設けられた構成を有しているが、このようなロック部材１６，１７の構成に対して、上述した解除リンク機構を備えたロック解除部材１８は、複数段（２段）の媒体差込通路１１ｃ及び１１ｄを、信号伝送媒体（ＦＦＣ又はＦＰＣ等）ＰＢの「板幅方向」（コネクタ長手方向）に挟んだ両側部分に一対配置されている。そして、これら一対のロック解除部材１８に対する解除操作によって、媒体差込通路１１ｃ及び１１ｄ毎に設けられた上ロック部材１６及び下ロック部材１７の上係止爪１６ｂ及び下係止爪１７ｂが、一括的に操作されるようになっている。
【００５２】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００５３】
例えば、上述した各実施形態では、上下の媒体差込通路１１ｃ，１１ｄの各々に配置されたグランドコンタクト部材１５ｂ，１５ｂが、信号伝送媒体（ＦＦＣ又はＦＰＣ等）ＰＢの板幅方向（コネクタ長手方向）において信号コンタクト部材１２及び１３の各々に対して同一の位置に配置されているが、信号コンタクト部材１２及び１３の各々に対してグランドコンタクト部材１５ｂ，１５ｂを、信号伝送媒体ＰＢの板幅方向（コネクタ幅方向）における異なる位置で、「高さ方向」の上下に対向する状態に配置することも可能である。
【００５４】
また、上述した実施形態は、水平挿入型の電気コネクタに本発明を適用したものであるが、本発明はそれに限定されるものではなく、垂直挿入型の電気コネクタに対しても同様に適用することが可能である。
【００５５】
さらに、本発明にかかる電気コネクタは、上述した実施形態のようなフレキシブルフラットケーブル（ＦＦＣ）やフレキシブルプリント基板（ＦＰＣ）の接続を行うものに限定されることはなく、各種ケーブルと配線基板とを電気的に接続する多種多様な電気コネクタに対しても本発明は同様に適用することができる。
【産業上の利用可能性】
【００５６】
以上のように本発明は、電気機器に使用される多種多様な電気コネクタに対して広く適用することが可能である。
【符号の説明】
【００５７】
１  リセプタクルコネクタ
１１  ハウジング
１１ａ，１１ｂ  挿入開口部
１１ｃ，１１ｄ  媒体差込通路
１２  信号コンタクト部材（導電端子）
１２ａ  信号上接点部
１２ｂ  固定基部
１２ｃ  可動ビーム
１２ｄ  接続端子部
１３  信号コンタクト部材（導電端子）
１３ａ  信号下接点部
１３ｂ  固定基部
１３ｃ  可動ビーム
１３ｄ  接続端子部
１４  上シェル（シェル部材）
１４ａ  ハウジング固定片
１４ｂ  グランド接続部
１５  下シェル（シェル部材）
１５ａ  グランド連結バー
１５ｂ  グランドコンタクト部材
１５ｃ  上弾性ビーム
１５ｄ  下弾性ビーム
１５ｅ  グランド上接点部
１５ｆ  グランド下接点部
１５ｇ  グランド接続部
１６  上ロック部材（ロック部材）
１６ａ  上可動板
１６ｂ  上係止爪
１６ｃ  押圧受け部
１７  下ロック部材（ロック部材）
１７ａ  下可動板
１７ｂ  下係止爪
１７ｃ  押圧受け部
１８  ロック解除部材
１８ａ  解除操作部
１８ｂ  弾性アーム部材
１８ｃ  上押圧作用部（押圧作用部）
１８ｄ  下押圧作用部（押圧作用部）
ＰＢ  信号伝送媒体（ＦＦＣ又はＦＰＣ等）
ＰＢ１  シールド板
ＰＢ２  位置決め部（切り欠き状の凹部）
【図１】
2019149230.tif 000003
【図２】
2019149230.tif 000004
【図３】
2019149230.tif 000005
【図４】
2019149230.tif 000006
【図５】
2019149230.tif 000007
【図６】
2019149230.tif 000008
【図７】
2019149230.tif 000009
【図８】
2019149230.tif 000010
【図９】
2019149230.tif 000011
【図１０】
2019149230.tif 000012
【図１１】
2019149230.tif 000013
【図１２】
2019149230.tif 000014
【図１３】
2019149230.tif 000015
【図１４】
2019149230.tif 000016
【図１５】
2019149230.tif 000017
【図１６】
2019149230.tif 000018
【図１７】
2019149230.tif 000019